(57)【特許請求の範囲】
【請求項１】
前面が開口する収納家具本体の左右側の少なくとも一方に設けられる収納空間に、前記開口を開閉する扉を収納可能とした収納家具において、
前記収納家具本体の左右側の少なくとも一方の側板の外側に所定間隔離して覆板を着脱自在に設け、前記側板と覆板との間に前記扉の収納空間を形成し、該収納空間に前記扉と移動支柱とを収納家具本体の前後方向にガイドするガイドレールを設けるとともに、前記移動支柱に対して前記扉を蝶番を介して回転可能に設け、前記移動支柱と収納空間後部とが２つのリンクを互いにＸ字状に交差させたＸ型リンクにより連結されており、前記扉の回動動作により開閉操作するとともに、該扉の開放時に収納空間へ移動操作できることを特徴とする収納家具。
【請求項２】
前記収納家具を構成する天板と底板の側端が、前記側板よりも外方に延びるように形成されており、この延設された天板及び底板の側端に、前記覆板を着脱自在に取り付けるビス等の孔部が形成されている請求項１に記載の収納家具。
【発明の詳細な説明】
【０００１】
【発明の属する技術分野】
本発明は、収納家具に係わり、特に扉が収納家具本体に形成された収納空間内に収納可能に設けられた収納家具に関する。
【０００２】
【従来の技術】
従来、前面が開口する収納家具本体の左右両側の内少なくとも一方に設けられた収納空間内に、前記開口を開閉可能とする扉を収納可能に設けた収納家具における扉の収納装置においては、前記収納空間内へ扉を収納すべく収納装置は、安全上の配慮から前記収納家具本体内に形成される収納空間内に収納され、その内側がパネルで覆われるようになっていた。
【０００３】
【発明が解決しようとする課題】
しかしながら、上述のように収納空間を収納家具本体内の内側に設けると、扉やその収納装置等の組み付け時において作業を収納家具本体内部から行わなければならず、スペースが狭く組み付けにくいばかりか、またメンテナンス作業時等においては収納家具本体内の棚や収納物を取り出さなければならず、作業性が悪いといった問題があった。
【０００４】
本発明は、上記のような問題点に着目してなされたもので、扉の収納装置の組み付けやメンテナンスを容易に行うことが出来、かつ使用時において安全性の高い収納家具を提供することを目的としている。
【０００５】
【課題を解決するための手段】
上記目的を達成するために、本発明の収納家具は、前面が開口する収納家具本体の左右側の少なくとも一方に設けられる収納空間に、前記開口を開閉する扉を収納可能とした収納家具において、
前記収納家具本体の左右側の少なくとも一方の側板の外側に所定間隔離して覆板を着脱自在に設け、前記側板と覆板との間に前記扉の収納空間を形成し、該収納空間に前記扉と移動支柱とを収納家具本体の前後方向にガイドするガイドレールを設けるとともに、前記移動支柱に対して前記扉を蝶番を介して回転可能に設け、前記移動支柱と収納空間後部とが２つのリンクを互いにＸ字状に交差させたＸ型リンクにより連結されており、前記扉の回動動作により開閉操作するとともに、該扉の開放時に収納空間へ移動操作できることを特徴としている。
この特徴によると、ガイドレールが側板の外側に形成されているので、扉は開放時においては前記ガイドレールにより案内され、収納家具本体内部の収納物の邪魔にならない側板の外側に収納出来るとともに、前記ガイドレールの外側に覆板が着脱自在に取り付けられていることにより、収納空間内を移動する扉の外側が覆われて安全であるとともに、収納家具の外部から覆板を取り外すだけで、扉の組み付けやメンテナンス等を容易に行うことが出来る。また、Ｘ型リンクにより扉が前後に傾くことなく、かつ前方または後方に向かって付勢されるため、収納移動操作がよりスムーズに行われる。
【０００６】
本発明の収納家具は、前記収納家具を構成する天板と底板の側端が、前記側板よりも外方に延びるように形成されており、この延設された天板及び底板の側端に、前記覆板を着脱自在に取り付けるビスの孔部が形成されていることが好ましい。
このようにすれば、ガイドレールにより前後方向にガイドされる扉の動作の邪魔になることなく、天板と底板の側端に形成された孔部にビス等を挿通するだけで、覆板を着脱自在に取り付けることが出来る。
【０００８】
【発明の実施の形態】
以下、本発明の実施形態を図面に基づいて説明すると、まず図１における１は本発明の実施例としての収納家具であり、この収納家具１は、天板２、底板３、左右の側板６、６、背面板（図示略）とから前面が開口する筺型に形成されてなり、さらに天板２及び底板３の左右両端には、レール部材３０、３０’がそれぞれ上下に固着され、側板６のさらに外側に外カバー４、４が着脱自在に設けられている。５は収納家具１の前面開口を開閉可能な扉であり、左右の側板６、６と、それらの外側にそれぞれ所定距離離間して設けられる外カバー４、４と、レール部材３０、３０’とから構成される戸袋の収納空間Ｓ内に収納可能に設けられている。
【０００９】
図２〜５に示されるように、上方のレール部材３０の裏面（図２図示略）及び下方のレール部材３０’の上面には、それぞれ後述する扉５、及び移動支柱１０のガイドローラ８、９をガイドするガイド溝７が前後方向を向くように形成されている。
【００１０】
このレール部材３０、３０’におけるガイド溝７の外側には、図２に示されるようにビス３１挿通用の孔部３２を有する垂直方向を向く取付面３０ａ、３０ａ’がそれぞれ形成されている。この取付面３０ａ、３０ａ’に外カバー４の上下端部内面を当接させた状態で、外カバー４に形成された孔部３３及び取付面３０ａ、３０ａ’の孔部３２にビス３１を挿通することで、外カバー４を側板６の外側に着脱自在に設けることが出来るようになっている。このように取付面３０ａ、３０ａ’が外カバー４の上下端部内面に当接可能に設けられていることにより外カバー４の内方への進入が規制されるので、取付時における外カバー４との接触によるガイド溝７の損傷が防止できる。
【００１１】
なお、本実施例における側板４の後端には内向きに屈曲する後面板４ａが連設されており、外カバー４を取付面３０ａ、３０ａ’に取り付けることにより、側板６、外カバー４、後面板４ａにより扉５の収納空間Ｓが側板６の外側に形成されるようになっている。
【００１２】
図３、５に示されるように、扉５の後端上下部には、ガイド溝７内を摺動可能に嵌合する第２ガイドローラ８が設けられている。また扉５の後端部は、上下にガイド溝７内を摺動自在なガイドローラ９、９を有する移動支柱１０に対して、２箇所の回動軸を有する２連蝶番１１を介して軸着されている。
【００１３】
移動支柱１０は、軸１２をもって互いにＸ字状に交差するように連結された第１・第２リンク１３、１４から構成されるＸ型リンク１５により、収納家具１の後部に連結されている。このＸ型リンク１５を構成する第１リンク１３の上端は移動支柱１０の上端部に軸着されており、下端は、ローラ１７を介して側板６の内面６ａ後方下部に取り付けられた断面略Ｃ字状のガイド部材１６内を上下方向に摺動自在に案内されている。また、第２リンク１４は、上端が側板６の内面６ａ後方上部に軸着されており、下端は、ローラ１８を介して移動支柱１０の下部に取り付けられた断面略Ｃ字状のガイド部材１９内を上下方向に摺動自在に案内されている。尚、図３における２０はハンガーレールであり、特にＸ型リンク１５の組付時等において、移動支柱１０をガイドローラ２１を介して一時的に支承出来るようになっている。
【００１４】
このように上下端部がガイドローラ９を介してガイド溝７に案内された移動支柱１０は、Ｘ型リンク１５を介して側板６の後部と連結されていることにより、上下端部の前後方向の振れが規制されているとともに、前後方向に移動可能に設けられている。
【００１５】
なお、本実施例におけるＸ型リンク１５は、第１・第２リンク１３、１４の下端がそれぞれ移動支柱１０、及び側板６の下部のガイド部材１９、１７に上下方向に移動自在に案内されているため、移動支柱１０が後方に付勢されるようになっている。
【００１６】
ガイド溝７は、図４に示されるように、収納家具１の前方に形成される円弧型ガイド溝７ａと、その後端に直線状に連設される直線ガイド溝７ｂとから構成されている。円弧型ガイド溝７ａは、収納家具１の左右端部前部に、それぞれ互いに外向きに広がるように、また、図６（ａ）、（ｂ）に示されるように、第１ガイドローラ２４を中心とする円の円弧に近い形になるように形成されている。
【００１７】
図１、３、５に示されるように、側板６の前端面６ｂ上下所定箇所には、扉５の内面５ａ上下に取付部材２６を介して設けられる左右方向を向くガイドレール２３の凹部２３ａ内に摺動自在に嵌挿される第１ガイドローラ２４がそれぞれ取付金具２２を介して取り付けられている。上部のガイドレール２３は開口が上向きに、そして下部のガイドレール２３は開口下向きになるように、かつ扉５の内面５ａに着脱自在に取り付けられている。また、図６（ａ）、（ｂ）〜図９（ａ）、（ｂ）に示されるようにガイドレール２３の所定箇所には、収納時において扉５を外カバー４に対して平行に向けるための屈曲部２５が形成されている。また、ガイドレール２３の後半部内面には、屈曲部２５により扉５の内面５ａとの間に形成される隙間を埋めるべきスペーサとしての当接片２９（図６（ａ）参照）が形成されている。
【００１８】
次にこのように構成された収納家具１における扉５の開閉操作時の作用を図６（ａ）、（ｂ）〜図９（ａ）、（ｂ）に基づいて説明していくと、まず図６（ａ）、（ｂ）には扉５により収納家具１の前面開口が閉塞されている状態が示されている。この時、扉５の上端部にある第２ガイドローラ８は、円弧型ガイド溝７ａの端部に位置されるようになっている。
【００１９】
次に図７（ａ）に示されるように扉５を開放する場合、開放操作時において扉５は、後端が第２ガイドローラ８を介して円弧型ガイド溝７ａに案内されるため、ガイドレール２３内に嵌合される第１ガイドローラ２４を中心とする回動動作を主に行うことが許容されている状態にある。よってこの時扉５に対してＸ型リンク１５により側板６と外カバー４との間に形成される収納空間Ｓ内後方への付勢力が働いても、扉５が回動動作とともに後端が収納空間Ｓ内へ引き込まれることがほとんどない。
【００２０】
そして図７（ａ）の位置まで扉５が回動した時点で、図７（ｂ）に示されるように第２ガイドローラ８が円弧型ガイド溝７ａと直線ガイド溝７ｂとの連設部に位置し、それ以上の回動動作が規制されるとともに、直線ガイド溝７ｂを介して後方への移動が許容されることになる。また、本実施例においては、扉５の開放動作が扉５の後端部より前方位置にある第１ガイドローラ２４を中心として回動されることから、扉５の後端部の回動を許容すべく外カバー４の前端部が切り欠かれている。
【００２１】
次に扉５を収納空間Ｓ内に収納する場合、扉５は図８（ａ）の状態になると、Ｘ型リンク１５により収納方向に付勢されるため、使用者が強く押し込まなくとも収納空間Ｓ方向に自動的に移動される。この時扉５は後部が第２ガイドローラ８が直線ガイド溝７ｂに案内されるとともに、かつ前部がガイドレール２３を介して第１ガイドローラ２４により案内されることで前後部が進入方向に対して左右方向に振れることなく、また、前述のようにＸ型リンク１５に連結された移動支柱１０により、前後方向に傾斜したり、上下端部が進入方向に対して左右方向に振れることなく収納空間Ｓ内にスムーズに誘導される。
【００２２】
そして図８（ａ）、（ｂ）に示されるように、ガイドレール２３の屈曲部２５が第１ガイドローラ２４を通過する時点で、扉５が外カバー４及び側板６と略平行な状態になり、さらに図９（ａ）、（ｂ）に示されるような状態を維持したまま扉５を収納出来る。
【００２３】
このように本発明の実施例としての収納家具における扉の収納装置にあっては、扉５が収納家具１の一部を構成する左右側の側板６の外側に収納されるようになっているとともに、その外側が外カバー４により着脱自在に覆われているため、通常時においては扉５の収納装置としてのＸ型リンク１５が覆われていて安全であるとともに、収納家具１の外部から外カバー４を取り外すだけでＸ型リンク１５の組み付けやメンテナンス作業等を容易に行うことが出来る。
【００２４】
以上、本発明の実施例を図面により説明してきたが、具体的な構成はこれら実施例に限られるものではなく、本発明の要旨を逸脱しない範囲における変更や追加があっても本発明に含まれる。
【００２５】
例えば、ガイド部としてのガイド溝７は側板６の外側の上下部にそれぞれ形成されていたが、上下いずれか一方のみに形成されていてもよい。
【００２６】
【発明の効果】
本発明は次の効果を奏する。
【００２７】
（ａ）請求項１の発明によれば、ガイドレールが側板の外側に形成されているので、扉は開放時においては前記ガイドレールにより案内され、収納家具本体内部の収納物の邪魔にならない側板の外側に収納出来るとともに、前記ガイドレールの外側に覆板が着脱自在に取り付けられていることにより、収納空間内を移動する扉の外側が覆われて安全であるとともに、収納家具の外部から覆板を取り外すだけで、扉の組み付けやメンテナンス等を容易に行うことが出来る。また、Ｘ型リンクにより扉が前後に傾くことなく、かつ前方または後方に向かって付勢されるため、収納移動操作がよりスムーズに行われる。
【００２８】
（ｂ）請求項２の発明によれば、側方に延設された天板と底板の側端に形成された孔部にビス等を挿通するだけで、ガイドレールにより前後方向にガイドされる扉の動作の邪魔になることなく、覆板を着脱自在に取り付けることが出来る。
【００３０】
【図面の簡単な説明】
【図１】本発明の適用される収納家具の外観を示す使用状態斜視図である。
【図２】図１の収納家具の要部を示す分解斜視図である。
【図３】図１のＡ−Ａ断面図である。
【図４】図３のＢ−Ｂ断面図である。
【図５】図３のＣ−Ｃ断面図である。
【図６】（ａ）は図３のＤ−Ｄ断面図であり、（ｂ）は図３のＢ−Ｂ断面の一部を示す断面図である。
【図７】（ａ）は扉の作用を示す図であり、（ｂ）は（ａ）に対応する第２ガイドローラの作用を示す図である。
【図８】同じく（ａ）は扉の作用を示す図であり、（ｂ）は（ａ）に対応する第２ガイドローラの作用を示す図である。
【図９】同じく（ａ）は扉の作用を示す図であり、（ｂ）は（ａ）に対応する第２ガイドローラの作用を示す図である。
【符号の説明】
１              収納家具
２              天板
３              底板
４              外カバー（覆板）
４ａ            後面板
５              扉
５ａ            内面
６              側板
６ａ            内面
６ｂ            前端面
７              ガイド溝（ガイドレール）
７ａ            円弧型ガイド溝
７ｂ            直線ガイド部
８              第２ガイドローラ
９              ガイドローラ
１０              移動支柱
１１              ２連蝶番
１２              軸
１３              第１リンク
１４              第２リンク
１５              Ｘ型リンク
１６、１９        ガイド部材
１７、１８        ローラ
２０              ハンガーレール
２１              ハンガーローラ
２２              取付金具
２３              ガイドレール
２３ａ            凹部
２４              第１ガイドローラ
２５              屈曲部
２６              取付部材
２９              当接片
３０、３０’      レール部材
３０ａ、３０ａ’  取付面
３１              ビス
３２、３３        孔部
Ｓ                収納空間
【図１】
0003628519.tif 000002
【図２】
0003628519.tif 000003
【図３】
0003628519.tif 000004
【図４】
0003628519.tif 000005
【図５】
0003628519.tif 000006
【図６】
0003628519.tif 000007
【図７】
0003628519.tif 000008
【図８】
0003628519.tif 000009
【図９】
0003628519.tif 000010